(57)【要約】【課題】不織布製本体をパンツ型に形成するために用いるファスナーのコストを低減する。【解決手段】パンツ型Ｔ字帯１は、不織布製本体１０が、尻当て部１１、股当て部１２、腹当て１３部が連続し、前記尻当て部１３の左右端から側方にベルト部１４、１５が突出してＴ字型に形成され、前記本体１０は、左右のベルト部１４、１５と腹当て部１３とが、多数の微細フックを有するフックシート２０ａ、２１ａ、２２ａと微細な毛羽を有する毛羽糸２０ｂ、２１ｂ、２２ｂとを組み合わせたファスナー２０、２１、２２で係合されることによってパンツ型に形成される。【選択図】  図１
2018061726.tif 000002
【特許請求の範囲】
【請求項１】
不織布製本体が、尻当て部、股当て部、腹当て部が連続し、前記尻当て部の左右端から側方にベルト部が突出してＴ字型に形成され、
前記本体は、左右のベルト部と腹当て部とが、多数の微細フックを有するフックシートと微細な毛羽を有する毛羽糸とを組み合わせたファスナーで係合されることによってパンツ型に形成されることを特徴とするパンツ型Ｔ字帯。
【請求項２】
前記ファスナーは一つのフックシートに対して複数本の毛羽糸が組み合わされている請求項１に記載のパンツ型Ｔ字帯。
【請求項３】
前記左右のベルトを重ね、その上に腹当て部を重ねることによってパンツ型に形成され、
第一ファスナー、第二ファスナー、第三ファスナーが、それぞれ、多数の微細フックを有するフックシートと微細な毛羽を有する複数本の毛羽糸とが組み合わされてなり、
重ねられたベルト部の下側に位置するベルト部の外面に、複数本の第一毛羽糸がベルト部の長さ方向に沿いかつベルト部の幅方向において所定間隔で取り付けられているとともに、長さ方向の先端に第二フックシートが取り付けられ、
重ねられたベルト部の上側に位置するベルト部の内面に、複数の第二毛羽糸がベルト部の長さ方向に沿いかつベルト部の幅方向において所定間隔で取り付けられているとともに、長さ方向の先端に第一フックシートが取り付けられ、
前記上側に位置するベルト部の外面に、複数の第三毛羽糸がベルト部の長さ方向に沿いかつベルト部の幅方向において所定間隔で取り付けられ、前記腹当て部の内面に第三フックシートが取り付けられ、
左右のベルト部を第一ファスナーおよび第二ファスナーで係合し、上側に位置するベルト部と腹当て部を第三ファスナーで係合する請求項１に記載のパンツ型Ｔ字帯。
【発明の詳細な説明】
【技術分野】
【０００１】
本発明は手術後や産褥期にパッドをあてがうためのパンツ型Ｔ字帯に関する。
【背景技術】
【０００２】
Ｔ字帯は、手術後の尿もれ処理用や産褥期の悪露処理用の吸水性パッドを体にあてがうために用いられ、近年は身体にフィットする前開きのパンツ型Ｔ字帯が用いられている。また、衛生上の問題から、再使用しないワンウエイタイプの不織布製Ｔ字帯が用いられてる（非特許文献１、２参照）
【０００３】
図５に上記パンツ型Ｔ字帯の一例を示す。このパンツ型Ｔ字帯５０は、尻当て部１１、股当て部１２、腹当て部１３が連続して一体に形成されるとともに、前記尻当て部１１の左右から側方にベルト部１４、１５が突出するＴ字型に形成されている。この種のパンツ型Ｔ字帯５０はフリーサイズであり、フックシート６０ａ、６１ａ、６２ａとループシート６０ｂ、６１ｂ、６２ｂからなる面ファスナー６０、６１、６２の係合位置でサイズを調整する。前記パンツ型Ｔ字帯５０においては、一方のベルト部１４の先端側の外面に左右方向（ベルト部の長さ方向）に長いループシート６０ｂが縫着され、かつ先端部にフックシート６１ａの小片が縫着されている。他方のベルト部１５の先端側には、内面に左右方向（ベルト部の長さ方向）に長いループシート６１ｂが縫着され、かつ先端部にフックシート６０ａの小片が縫着されている。さらに、前記ベルト部１５の外面の先端側にループシート６２ｂが縫着されている。また、前記股当て部１３の内面の先端部には左右にフックシート６２ａ、６２ａの小片が縫着されている。そして、左右のベルト部１４、１５を重ねてこれらを２組の面ファスナー６０、６１で係合し、さらに上側のベルト部１５上に腹当て部１３を重ねて面ファスナー６２で係合することにより、腰回りをすっぽりと包むパンツ型に形成される。
【先行技術文献】
【非特許文献】
【０００４】
【非特許文献１】白十字株式会社、商品名「ティージーパンツ」、平成２８年７月１５日検索、インターネット〈ＵＲＬ：http://www.hakujuji.co.jp/medical/products/03/07/#products02〉
【非特許文献２】大衛株式会社、「衛生材料用品  MEDICAL SUPPLIES」、２０１６年３月発行、第１６頁
【発明の概要】
【発明が解決しようとする課題】
【０００５】
上記のフリーサイズのパンツ型Ｔ字帯は、サイズを調節するために面ファスナーによる係合可能領域を広くする必要があり、フックシートまたはループシートの少なくとも一方は係合可能領域に対応する寸法が必要である。図５に示したパンツ型Ｔ字帯はループシート６０ｂ、６１ｂ、６２ｂの寸法を大きくすることによってサイズ調節可能にしている。そして、このような大きい寸法の面ファスナーがパンツ型Ｔ字帯の製造コストを押し上げている。
【課題を解決するための手段】
【０００６】
本発明は上記の背景技術に鑑み、パンツ型に形成するために用いるファスナーのコストを低減してパンツ型Ｔ字帯の製造コストを低減することを目的とする。
【０００７】
即ち、本発明は下記［１］〜［３］に記載の構成を有する。
【０００８】
［１］不織布製本体が、尻当て部、股当て部、腹当て部が連続し、前記尻当て部の左右端から側方にベルト部が突出してＴ字型に形成され、
前記本体は、左右のベルト部と腹当て部とが、多数の微細フックを有するフックシートと微細な毛羽を有する毛羽糸とを組み合わせたファスナーで係合されることによってパンツ型に形成されることを特徴とするパンツ型Ｔ字帯。
【０００９】
［２］前記ファスナーは一つのフックシートに対して複数本の毛羽糸が組み合わされている請求項１に記載のパンツ型Ｔ字帯。
【００１０】
［３］前記左右のベルトを重ね、その上に腹当て部を重ねることによってパンツ型に形成され、
第一ファスナー、第二ファスナー、第三ファスナーが、それぞれ、多数の微細フックを有するフックシートと微細な毛羽を有する複数本の毛羽糸とが組み合わされてなり、
重ねられたベルト部の下側に位置するベルト部の外面に、複数本の第一毛羽糸がベルト部の長さ方向に沿いかつベルト部の幅方向において所定間隔で取り付けられているとともに、長さ方向の先端に第二フックシートが取り付けられ、
重ねられたベルト部の上側に位置するベルト部の内面に、複数の第二毛羽糸がベルト部の長さ方向に沿いかつベルト部の幅方向において所定間隔で取り付けられているとともに、長さ方向の先端に第一フックシートが取り付けられ、
前記上側に位置するベルト部の外面に、複数の第三毛羽糸がベルト部の長さ方向に沿いかつベルト部の幅方向において所定間隔で取り付けられ、前記腹当て部の内面に第三フックシートが取り付けられ、
左右のベルト部を第一ファスナーおよび第二ファスナーで係合し、上側に位置するベルト部と腹当て部を第三ファスナーで係合する請求項１に記載のパンツ型Ｔ字帯。
【発明の効果】
【００１１】
上記［１］に記載のパンツ型Ｔ字帯は、本体の左右のベルト部と腹当て部を係合するファスナーがフックシートと毛羽糸とを組み合わせたものである。フックシートの相手である毛羽糸は従来の面ファスナーのループシートよりも安価であるため、パンツ型Ｔ字帯の製造コストを低減できる。
【００１２】
上記［２］に記載のパンツ型Ｔ字帯は、ファスナーを構成するフックシートが複数本の毛羽糸と係合するので高い係合力が得られ、ファスナーが外れにくくなって着崩れしにくくなる。
【００１３】
上記［３］に記載のパンツ型Ｔ字帯は、重ねたベルト部の合わせ面を係合する第一ファスナーおよび第二ファスナーの第一毛羽糸および第二毛羽糸がベルト部の長さ方向に沿って取り付けられているので、第一フックシートおよび第二フックシートはベルト部の長さ方向の任意の位置で第一毛羽糸および第二毛羽糸に係合してウエスト寸法を調節できる。また、ベルト部と腹当て部を係合する第三ファスナーは、第三毛羽糸がベルト部の幅方向、即ち上下方向において所定間隔で複数本が取り付けられているので、第三フックシートは上下方向の任意の位置で係合して股上寸法、前後の刳り寸法を調節できる。
【００１４】
さらに、第一フックシート、第二フックシート、第三フックシートは、それぞれ、複数本の第一毛羽糸、第二毛羽糸、第三毛羽糸と係合するので係合力が高い。
【図面の簡単な説明】
【００１５】
【図１】本発明にかかるパンツ型Ｔ字帯の一実施形態の展開図である。
【図２】図１のパンツ型Ｔ字帯に用いられるファスナーのフックシートの断面図である。
【図３】図１のパンツ型Ｔ字帯に用いられるファスナーの毛羽糸の斜視図である。
【図４Ａ】図１のパンツ型Ｔ字帯の使用方法を示す斜視図である。
【図４Ｂ】図１のパンツ型Ｔ字帯の使用方法を示す斜視図である。
【図５】従来のパンツ型Ｔ字帯の展開図である。
【発明を実施するための形態】
【００１６】
図１〜図４Ｂに本発明にかかるパンツ型Ｔ字帯の一実施形態を示す。
【００１７】
パンツ型Ｔ字帯１は、不織布製の本体１０とファスナー２０、２１、２２によって構成されている。
【００１８】
前記本体１０は、尻当て部１１、股当て部１２、腹当て部１３が連続して一体に形成されるとともに、前記尻当て部１１の左右から側方に突出して前記腹当て部１３に係合されるベルト部１４、１５が一体に形成されたＴ字型である。前記尻当て部１１は、上端縁が左右の脇１１ａ、１１ｂで上方に傾斜するとともに、その延長線上にベルト部１４、１５が連続し、左右のベルト部１４、１５が尻当て部１１から上方に傾斜している。これにより、一方のベルト部１４の上端縁から尻当て部１１の上端縁を経て他方のベルト部１５の上端縁に至るウエストラインＬ１が緩やかなカーブで形成されている。また、前記腹当て部１２および股当て部１３の側縁からベルト部１４、１５の下端縁に至る股ぐりラインＬ２もカーブで形成されいる。また、前記ウエストラインＬ１の中央部および股ぐりラインＬ２にゴムテープ（図示省略）が縫着され、伸縮自在となされている。図１はゴムテープを伸ばして本体１０を平らに展開した状態を示している。前記本体１０はウエストラインＬ１および股ぐりラインＬ２をカーブさせ、かつゴムテープを縫着することによって立体的なパンツ型となってフィット性が高めらる。
【００１９】
なお、本体形状は図示例のものに限定されない。左右のベルト部が尻当て部から直角に突出してウエストラインが一直線で形成されるＴ字型本体であってもよい。また、ゴムテープの有無も任意である。
【００２０】
前記本体１０に、ウエストサイズを調節する第一ファスナー２０および第二ファスナーの２組のファスナーと、股上寸法および前後の刳り寸法を調節する第三ファスナー２２が取り付けられている。
【００２１】
前記第一、第二、第三のファスナー２０、２１、２２は、それぞれ面状部材のフックシート２０ａ、２１ａ、２２ａと線状部材の毛羽糸２０ｂ、２１ｂ、２１ｃとを組み合わせたものであり、本体１０において下記の位置に取り付けられている。以下の説明において、第一ファスナー２０のフックシートおよび毛羽糸を第一フックシート２０ａおよび第一毛羽糸２０ｂと称する。同様に、第二ファスナー２１および第三ファスナー２２の構成部材を第二フックシート２１ａ、第二毛羽糸２１ｂ、第三フックシート２２ａおよび第三毛羽糸２２ｂと称する。また、ファスナーの取付位置を示す必要がない場合は第一、第二、第三を省略して記載する。
【００２２】
一方のベルト部１４の先端側の外面に、５本の第一毛羽糸２０ｂがベルト部１４の長さ方向に沿いかつベルト部１４の幅方向において所定間隔で縫着され、ベルト部１４の長さ方向の先端に第二フックシート２１ａが縫着されている。他方のベルト部１５の先端側の内面に、５本の第二毛羽糸２１ｂがベルト部１５の長さ方向に沿いかつベルト部１５の幅方向に所定間隔で縫着され、長さ方向の先端に第一フックシート２０ａが縫着されている。さらに、前記ベルト部１５の先端側外面に、５本の第三毛羽糸２２ｂがベルト部１５の長さ方向に沿いかつベルト部１５の幅方向に所定間隔で縫着されている。また、前記腹当て部１３の内面の先端部には左右２カ所に第三フックシート２２ａが縫着されている。即ち、右のベルト部１４の上に左のベルト部１５を重ねた状態でこれらの合わせ面に第一ファスナー２０および第二ファスナー２１が取り付けられている。また、左ベルト部１５の上に腹当て部１３を重ねた状態でこれらの合わせ面に第三ファスナー２２が取り付けられている。
【００２３】
図２に示すように、前記フックシート２０ａ、２１ａ、２２ａは、ベースシート２３の表面に多数の微細なフック２４を有している。一方、図３に示すように、前記毛羽糸２０ｂ、２１ｂ、２２ｂはベース糸２５の表面に多数の微細な毛羽２６を有している。前記フックシート２０ａ、２１ａ、２２ａと毛羽糸２０ｂ、２１ｂ、２２ｂを押し付け合うと前記フック２４に毛羽２６に絡んで両者が係合されてファスナー２０、２１、２１が閉じられ、前記フックシート２０ａ、２１ａ、２２ａと毛羽糸２０ｂ、２１ｂ、２２ｂを引き離すと係合が解かれてファスナー２０、２１、２１が開かれる。
【００２４】
前記フックシート２０ａ、２１ａ、２２ａとしては、従来の面ファスナーのフックシートを用いることができる。前記毛羽糸２０ｂ、２１ｂ、２２ｂとしては、フックシート２０ａ、２１ａ、２２ａとの係合力を確保するために、太さが１ｍｍ以上のものが好ましい。また、フックシート２０ａ、２１ａ、２２ａのフック２４に絡ませるために、毛羽２６は長さ１０ｍｍ以上かつ太さ１５０デニール〜４００デニールｍｍの仕様が好ましい。上記の条件を満たす毛羽糸として松文産業株式会社製の毛羽糸がある。前記毛羽糸２０ｂ、２１ｂ、２２ｂは縫着によって取り付けられることに限定されず、接着で取り付けることもできる。
【００２５】
図５に参照される従来の面ファスナー６０、６１、６２はフックシート６０ａ、６１ａ、６２ａとループシート６０ｂ、６１ｂ、６２ｂの面状部材同士の組み合わせであるのに対し、前記ファスナー２０、２１、２２はフックシート２０ａ、２１ａ、２２ａの面状部材と毛羽糸２０ｂ、２１ｂ、２２ｂの線状部材の組み合わせである。前記毛羽糸２０ｂ、２１ｂ、２２ｂは従来の面ファスナー６０、６１、６２のループシート６０ｂ、６１ｂ、６２ｂに代わるフックシート２０ａ、２１ａ、２２ａの相手部材である。前記ファスナー２０、２１、２２のフックシート２０ａ、２１ａ、２２ａと毛羽糸２０ｂ、２１ｂ、２２ｂとの係合面積は従来の面ファスナー６０、６１、６２のフックシート６０ａ、６１ａ、６２ａとループシート６０ｂ、６１ｂ、６２ｂの係合面積よりも小さいが、その係合力はパンツ型Ｔ字帯１の形成には十分である。そして、前記毛羽糸２０ｂ、２１ｂ、２２ｂはループシート６０ｂ、６１ｂ、６２ｂよりも安価であるため、パンツ型Ｔ字帯の製造コストを削減できる。特にパンツ型Ｔ字帯をフリーサイズで作製するにはファスナー寸法が大きくなるので、ファスナーのコスト差は大きい。
【００２６】
前記本体１０を構成する不織布は、衣類や衛生材料として使用できるものであれば、材質や目付において任意のものを使用できる。また、フィット性を高めるために伸縮性不織布を使用したり、不織布に撥水加工や抗菌加工を施すことも好ましい。
［使用方法］
前記パンツ型Ｔ字帯１の使用方法について図面を参照しつつ説明する。
【００２７】
図４Ａに示すように、一方のベルト部１４上に他方のベルト部１５を重ね、第一ファスナー２０および第二ファスナー２１を閉じる。両方のベルト部１４、１５の合わせ面、即ち右ベルト部１４の外面および左ベルト部１５の内面に第一毛羽糸２０ｂおよび第二毛羽糸２１ｂがそれぞれベルト部１４、１５の長さ方向に沿って取り付けられているとともに、先端に第一フックシート２０ａおよび第二フックシート２１ａが取り付けられているため、第一フックシート２０ａおよび第二フックシート２１ａは第一毛羽糸２０ｂおよび第二毛羽糸２１ｂの長さ方向において任意の位置に係合させることができる。これにより、ウエスト寸法を無段階に調節できる。また、各ベルト部１４、１５の先端が常に他方のベルト部１５、１４に係合しているので、いかなる寸法に調節しても余剰部分がぶら下がったり捩れたりしないので着崩れしにくい。
【００２８】
なお、本発明は左右のベルト部１４、１５を２組の面ファスナー２０、２１で係合させることに限定されず、１組の面ファスナーで係合させることもできる。その場合は、ベルト部１４、１５の一方にフックシートを取り付け、他方に毛羽糸を取り付ける。
【００２９】
次に、図４Ｂに示すように、重ねたベルト部１４、１５の上に腹当て部１３を載せて第三フックシート２２ａを上側の左ベルト部１５の第三毛羽糸２２ｂに係合させるとパンツ型に形成される。下側の右ベルト部１４の外面にも第一毛羽糸２０ｂが取り付けられているので、ウエスト寸法を拡げて上側のベルト部１５が脇側にずれても左右方向に途切れることなく毛羽糸２０ｂ、２２ｂが存在している。このため、腹当て部１３の第三フックシート２２ａが左ベルト部の第三毛羽糸２２ｂから外れても右ベルト部１４の第一毛羽糸２０ｂに係合させることで、腹当て部１３の中心をパンツの中心に合わせることができる。また、第一毛羽糸２０ｂおよび第三毛羽糸２２ｂはベルト部１４、１５の幅方向、即ち上下方向に複数本が所定間隔で複数本が取り付けられているので、腹当て部１３の第三フックシート２２ａはベルト部１４、１５の上下方向の任意の位置で係合することができる。そして、前記腹当て部１３の係合位置によって股上寸法、前後の刳り寸法を無段階に調節できる。
【００３０】
上記のように、前記パンツ型Ｔ字帯１は、ウエスト寸法、股上寸法、前後の刳り寸法を調節できるフリーサイズ製品である。
【００３１】
また、前記パンツ型Ｔ字帯１は左右のベルト部１４、１５を重ねさらに腹当て部１３を重ねる構造であるから、重なり面積が大きく、ファスナーによる係合面積を広く確保してファスナーによる係合力を高めることができる。また、重なり面積を大きくすることで図示例のようにベルト部１４、１５の合わせ面に２組のファスナー２０、２１を取り付けてで係合力を高めることもできる。
【００３２】
なお、ベルト部を短くして重ねず、ベルト部を腹当て部の左右の端部に係合させてパンツ型に形成することもできる。かかる構造のパンツ型Ｔ字帯も本発明の技術的範囲に含まれる。
【００３３】
前記ファスナー２０、２１、２２は１枚のフックシートが少なくとも１本の毛羽糸と係合すれば閉じることができ、複数本の毛羽糸と係合させるすることによって係合力を高めることができる。両者の係合力を高めることによってファスナーが外れにくくなり、着崩れしにくくなる。図示例のウエストサイズを調整する第一ファスナー２０および第二ファスナー２１は、複数本の第一毛羽糸２０ｂ、第二毛羽糸２１ｂのそれぞれがベルト部１４、１５の長さ方向に沿い、かつベルト部１４、１５の幅方向（上下方向）において間隔を隔てて取り付けられ、第一フックシート２０ａおよび第二フックシート２１ａの上下方向の寸法が第一毛羽糸２０ｂおよび第二毛羽糸２１ｂの間隔より大きいので、第一フックシート２０ａおよび第二フックシート２１ａは必ず複数本の第一毛羽糸２０ｂおよび第二毛羽糸２１ｂと係合する。同様に、第三ファスナー２２も第三フックシート２２ａの寸法と第三毛羽糸２２ｂの取付間隔との関係により、第三フックシート２２ａは複数本の第三毛羽糸２２ｂと係合する。
【産業上の利用可能性】
【００３４】
本発明は、手術後、産褥期等の手当として患部にパッドをあてがうためのＴ字帯として用いることができる。
【符号の説明】
【００３５】
１…パンツ型Ｔ字帯
１０…本体
１１…尻当て部
１２…股当て部
１３…腹当て部
１４、１５ベルト部
２０、２１、２２…ファスナー
２０ａ、２１ａ、２２ａ…フックシート
２０ｂ、２１ｂ、２２ｂ…毛羽糸
【図１】
2018061726.tif 000003
【図２】
2018061726.tif 000004
【図３】
2018061726.tif 000005
【図４Ａ】
2018061726.tif 000006
【図４Ｂ】
2018061726.tif 000007
【図５】
2018061726.tif 000008